(57)【要約】【課題】可変容量圧縮機において、最大容量運転時の制御の安定性とオイル循環の確保とを両立させる。【解決手段】ある態様の制御弁は、吐出室の吐出圧力と吸入室の吸入圧力との差圧が、ソレノイドへの供給電流値に応じた設定差圧に保持されるよう弁体が自律的に動作するように構成され、弁孔とは別にボディに設けられ、弁孔よりも小径のリーク通路を有し、弁部の閉弁時においても吐出室連通ポートからクランク室連通ポートへの冷媒の漏洩を許容するブリード孔を備える。リーク通路の径をＸ、抽気通路の径をＹとした場合に、Ｙ＞２．１４５Ｘ＋０．２４が成立するようにブリード孔が形成されている。【選択図】図４
2016014334.tif 000002
【特許請求の範囲】
【請求項１】
吸入室に導入される冷媒を圧縮して吐出室から吐出し、その吐出冷媒の一部を給気通路を介してクランク室に導入する一方、前記クランク室の冷媒の一部を抽気通路を介して前記吸入室へ排出することにより前記クランク室内が調圧され、それにより吐出容量が調整される可変容量圧縮機に適用され、前記給気通路を流れる冷媒の流量を調整することにより前記圧縮機の吐出容量を制御する可変容量圧縮機用制御弁において、
前記吐出室に連通する吐出室連通ポートと、前記クランク室に連通するクランク室連通ポートと、前記吸入室に連通する吸入室連通ポートとを有し、前記吐出室連通ポートと前記クランク室連通ポートとをつなぐ内部通路が前記給気通路を構成し、その内部通路に弁孔が設けられたボディと、
前記吐出室の吐出圧力と前記吸入室の吸入圧力との差圧を開弁方向に受け、前記弁孔に接離して弁部の開度を調整する弁体と、
前記ボディに設けられ、供給される電流量に応じて前記弁体を閉弁方向に駆動するためのソレノイド力を発生させるソレノイドと、
を備え、
前記吐出室の吐出圧力と前記吸入室の吸入圧力との差圧が、前記ソレノイドへの供給電流値に応じた設定差圧に保持されるよう前記弁体が自律的に動作するように構成され、
前記弁孔とは別に前記ボディに設けられ、前記弁孔よりも小径のリーク通路を有し、前記弁部の閉弁時においても前記吐出室連通ポートから前記クランク室連通ポートへの冷媒の漏洩を許容するブリード孔をさらに備え、
前記リーク通路の径をＸ、前記抽気通路の径をＹとした場合に、下記式（１）が成立するように前記ブリード孔が形成されていることを特徴とする可変容量圧縮機用制御弁。
Ｙ＞２．１４５Ｘ＋０．２４  ・・・（１）
【請求項２】
前記ボディが、前記弁孔と前記クランク室連通ポートとの間に形成された弁室を有し、
前記弁体が、前記弁室側から前記弁孔に接離して前記弁部を開閉し、
前記ブリード孔は、前記ボディにおける前記弁孔の径方向外側に設けられ、前記リーク通路と、前記リーク通路よりも大径の連通路とを軸線方向に接続して構成され、
前記連通路が、前記弁室側に開口することを特徴とする請求項１に記載の可変容量圧縮機用制御弁。
【請求項３】
前記ボディは、前記吸入室連通ポートと前記ソレノイドの内部とを連通させる作動室と、前記弁室と前記作動室とを区画する隔壁と、前記隔壁に設けられたガイド孔とを有し、
前記ガイド孔に摺動可能に支持され、一端側が前記弁室にて前記弁体と一体に設けられ、他端側が前記ソレノイドと連結され、前記ソレノイド力を前記弁体に伝達するための作動ロッドをさらに備えることを特徴とする請求項２に記載の可変容量圧縮機用制御弁。
【請求項４】
冷媒の臨界温度を超える超臨界域で冷凍作用を行わせる冷凍サイクルに適用されることを特徴とする請求項１〜３のいずれかに記載の可変容量圧縮機用制御弁。
【発明の詳細な説明】
【技術分野】
【０００１】
本発明は、可変容量圧縮機の吐出容量を制御する制御弁に関する。
【背景技術】
【０００２】
自動車用空調装置は、一般に、圧縮機、凝縮器、膨張装置、蒸発器等を冷凍サイクルに配置して構成される。圧縮機としては、エンジンの回転数によらず一定の冷房能力が維持されるように、冷媒の吐出容量を可変できる可変容量圧縮機（単に「圧縮機」ともいう）が用いられている。この圧縮機は、エンジンによって回転駆動される回転軸に取り付けられた揺動板に圧縮用のピストンが連結され、揺動板の角度を変化させてピストンのストロークを変えることにより冷媒の吐出量を調整する。揺動板の角度は、密閉されたクランク室内に吐出冷媒の一部を導入し、ピストンの両面にかかる圧力の釣り合いを変化させることで連続的に変えられる。
【０００３】
すなわち、圧縮機には一般に、吐出冷媒の一部をクランク室に導入するための給気通路と、クランク室の冷媒の一部を吸入室へ排出するための抽気通路とが設けられている。この給気通路を介してクランク室へ導入される冷媒の流量と、抽気通路を介してクランク室から排出される冷媒の流量とのバランスを調整することにより、クランク室内の圧力（以下「クランク圧力」という）Ｐｃが調整され、揺動板の角度が変えられる。クランク圧力Ｐｃは、圧縮機の吐出室とクランク室との間に設けられた可変容量圧縮機用制御弁（単に「制御弁」ともいう）により抽気通路の開度を調整することにより制御される。この制御弁が全開状態となり、クランク圧力Ｐｃが高められて揺動板が回転軸に対してほぼ直角になると、圧縮機を最小容量運転に移行させることができる。逆に、この制御弁が閉弁状態となり、クランク圧力Ｐｃが低減されて揺動板が回転軸に対して大きく傾斜すると、圧縮機を最大容量運転に移行させることができる。
【０００４】
このような制御弁として、圧縮機の吐出圧力Ｐｄと吸入圧力Ｐｓとの差圧（Ｐｄ−Ｐｓ）に応じてクランク室への冷媒の導入量を制御し、クランク圧力Ｐｃを制御するものがある（例えば特許文献１参照）。このような制御弁は、ボディ内に抽気通路を構成する内部通路が設けられ、その内部通路に弁孔を有する。ボディ内に配置した弁体を弁孔に接離させて弁部の開度を調整することにより、クランク室に導入する冷媒流量を制御することができる。その際、差圧（Ｐｄ−Ｐｓ）がソレノイドへの供給電流量により設定された設定差圧に保たれるよう弁体が自律的に動作する。このような制御弁によれば、その設定差圧の調整により、差圧（Ｐｄ−Ｐｓ）を所望の値に制御することができ、圧縮機からの冷媒の吐出容量を適切に調整できる。また、吐出圧力Ｐｄ自体の大きさに基づいた容量制御が行われるため、吐出容量を変化させるのにレスポンスが良いというメリットもある。
【先行技術文献】
【特許文献】
【０００５】
【特許文献１】特開２００１−１３２６５０号公報
【発明の概要】
【発明が解決しようとする課題】
【０００６】
ところで、このような制御弁のボディには、弁孔とは別にオイル循環用のブリード孔が設けられることがある。すなわち、冷凍サイクルを流れる冷媒には一般に、圧縮機の摺動部の焼き付きを防止するための潤滑用のオイルが含まれる。このオイルは、圧縮機の動作中に常に循環させるのが好ましい。一方、圧縮機の最大容量運転時においては制御弁が閉弁状態となるため、弁孔を介したオイル循環ができない。このため、弁孔とは別に、少なくとも最低限のオイル循環を確保するためのブリード孔が設けられることがある。
【０００７】
しかしながら、このようなブリード孔を設けることは、制御弁の閉弁時においても吐出冷媒をクランク室へ導入し続けることになるため、クランク圧力Ｐｃを高める要因となりうる。特に近年では地球温暖化の問題もあり、冷凍サイクルに用いる冷媒を従来の代替フロンから二酸化炭素等へ移行させる提案がなされている。この二酸化炭素を使用する冷凍サイクルでは、冷媒をその臨界温度を超える超臨界域まで昇圧させることになるため、冷媒の吐出圧力が非常に高くなる。このため、ブリード孔の設計によっては、制御弁の閉弁時においてもクランク圧力Ｐｃが必要以上に高まり、最大容量運転を維持できなくなる可能性がある。発明者らは、この点を認識してその解決策を追究した結果、圧縮機に設けられる抽気通路と、制御弁に設けられるブリード孔との関係に着目することにより、圧縮機におけるオイル循環の確保と安定した制御状態の維持を両立できるとの考えに到った。
【０００８】
本発明の目的は、可変容量圧縮機において、最大容量運転時の制御の安定性とオイル循環の確保とを両立させることにある。
【課題を解決するための手段】
【０００９】
本発明のある態様は、可変容量圧縮機用制御弁である。この制御弁は、吸入室に導入される冷媒を圧縮して吐出室から吐出し、その吐出冷媒の一部を給気通路を介してクランク室に導入する一方、クランク室の冷媒の一部を抽気通路を介して吸入室へ排出することによりクランク室内が調圧され、それにより吐出容量が調整される可変容量圧縮機に適用され、給気通路を流れる冷媒の流量を調整することにより圧縮機の吐出容量を制御する可変容量圧縮機用制御弁において、吐出室に連通する吐出室連通ポートと、クランク室に連通するクランク室連通ポートと、吸入室に連通する吸入室連通ポートとを有し、吐出室連通ポートとクランク室連通ポートとをつなぐ内部通路が抽気通路を構成し、その内部通路に弁孔が設けられたボディと、吐出室の吐出圧力と吸入室の吸入圧力との差圧を開弁方向に受け、弁孔に接離して弁部の開度を調整する弁体と、ボディに設けられ、供給される電流量に応じて弁体を閉弁方向に駆動するためのソレノイド力を発生させるソレノイドと、を備える。
【００１０】
吐出室の吐出圧力と吸入室の吸入圧力との差圧が、ソレノイドへの供給電流値に応じた設定差圧に保持されるよう弁体が自律的に動作するように構成され、弁孔とは別にボディに設けられ、弁孔よりも小径のリーク通路を有し、弁部の閉弁時においても吐出室連通ポートからクランク室連通ポートへの冷媒の漏洩を許容するブリード孔をさらに備える。リーク通路の径をＸ、抽気通路の径をＹとした場合に、下記式（１）が成立するようにブリード孔が形成されている。
Ｙ＞２．１４５Ｘ＋０．２４  ・・・（１）
【００１１】
この態様によると、後述する実施形態においても述べるように、高温高圧環境下においても圧縮機の最大容量運転を実現および維持できるとともに、潤滑のためのオイル循環を確保することができる。
【発明の効果】
【００１２】
本発明によれば、可変容量圧縮機において、最大容量運転時の制御の安定性とオイル循環の確保とを両立させることができる。
【図面の簡単な説明】
【００１３】
【図１】実施形態に係る車両用空調装置の冷凍サイクルを表すシステム図である。
【図２】実施形態に係る制御弁の構成を示す断面図である。
【図３】図２の上半部に対応する部分拡大断面図である。
【図４】冷媒として二酸化炭素を用いる場合の抽気通路径とリーク通路径との組み合わせ許容範囲を示す図である。
【図５】抽気通路径とリーク通路径との組み合わせの傾向に応じた差圧制御特性を表す図である。
【図６】冷媒として代替フロンを用いる場合の抽気通路径とリーク通路径との組み合わせ許容範囲を示す図である。
【発明を実施するための形態】
【００１４】
以下、本発明の実施形態を、図面を参照して詳細に説明する。なお、以下の説明においては便宜上、図示の状態を基準に各構造の位置関係を上下と表現することがある。
図１は、実施形態に係る車両用空調装置の冷凍サイクルを表すシステム図である。
【００１５】
本実施形態の空調装置は、高圧で作動する二酸化炭素を冷媒とするいわゆる超臨界冷凍サイクルを備える。この空調装置は、冷凍サイクルを循環する気相状態の冷媒を圧縮する可変容量圧縮機（単に「圧縮機」という）１０１、圧縮された高温高圧の気相状態の冷媒を冷却する外部熱交換器としてのガスクーラ１０２、冷却された冷媒を断熱膨張させて減圧する膨張装置１０３、膨張された冷媒を蒸発させて蒸発潜熱を奪って車室内の空気を冷却する蒸発器１０４、蒸発された冷媒を気液分離し、分離された気相状態の二酸化炭素を圧縮機１０１に戻す受液器１０５を備える。
【００１６】
圧縮機１０１は、クランク室１１６内に回転自在に支持された図示しない回転軸を有する。この回転軸には揺動板が傾斜角可変に設けられており、その回転軸の一端はクランク室１１６の外部に延出してプーリを介してエンジンの出力軸と接続されている。この回転軸の周りには複数のシリンダ１１２が配設され、各シリンダ１１２には揺動板の回転運動により往復運動を行うピストンが配置されている。各シリンダ１１２は、吸入弁を介して吸入室１１０に接続され、吐出弁を介して吐出室１１４に接続されている。圧縮機１０１は、吸入室１１０を介してシリンダ１１２に導入された冷媒を圧縮し、吐出室１１４を介して吐出する。
【００１７】
圧縮機１０１の揺動板の角度は、クランク室１１６内で揺動板を付勢するスプリングの荷重や、揺動板につながるピストンの両面にかかる圧力による荷重等がバランスした位置に保持される。この揺動板の角度は、クランク室１１６に吐出冷媒の一部を導入してクランク圧力Ｐｃを変化させ、ピストンの両面にかかる圧力の釣り合いを変化させることによって連続的に変えられる。この揺動板の角度の変化によってピストンのストロークを変えることにより、冷媒の吐出容量が調整される。クランク圧力Ｐｃは、圧縮機１０１の吐出室１１４とクランク室１１６との間に設けられた制御弁１により制御される。
【００１８】
すなわち、圧縮機１０１の吐出冷媒の一部は、制御弁１を介してクランク室１１６内に導入され、圧縮機１０１の容量制御に供される。制御弁１の内部通路は、吐出室１１４からの吐出冷媒の一部をクランク室１１６に導入するための「給気通路」を構成する。制御弁１は、ソレノイド駆動の電磁弁として構成され、制御部１２０により通電制御される。本実施形態では、制御部１２０が駆動回路１２２に所定のデューティ比に設定されたパルス信号を出力し、駆動回路１２２からそのデューティ比に対応した電流パルスを出力させてソレノイドを駆動する。制御弁１は、圧縮機１０１の吐出圧力Ｐｄと吸入圧力Ｐｓとの差圧（Ｐｄ−Ｐｓ）が制御目標値である設定差圧に近づくように吐出室１１４からクランク室１１６に導入する冷媒流量を調整する。これにより、圧縮機１０１の吐出容量が変化する。すなわち、制御弁１は、いわゆるＰｄ−Ｐｓ差圧弁として機能する。
【００１９】
クランク室１１６と吸入室１１０とを連通する冷媒通路１１８にはオリフィス１１９が設けられている。オリフィス１１９は、クランク室１１６内の冷媒の一部を吸入室１１０側へ漏洩させ、クランク圧力Ｐｃが過度に高まらないようにする「抽気通路」として機能する。すなわち、吐出室１１４からの吐出冷媒の一部を給気通路を介してクランク室１１６に導入する一方、クランク室１１６の冷媒の一部を抽気通路を介して吸入室１１０へ排出することによりクランク室１１６内が調圧される。それにより、圧縮機１０１の吐出容量が調整される。また、圧縮機１０１における吐出室１１４と冷媒出口との間の冷媒通路には、逆止弁１３０が設けられている。
【００２０】
制御部１２０は、各種演算処理を実行するＣＰＵ、各種制御プログラムを格納するＲＯＭ、データ格納やプログラム実行のためのワークエリアとして利用されるＲＡＭ、入出力インターフェース等を備える。制御部１２０は、指定したデューティ比のパルス信号を出力するＰＷＭ出力部を有するが、その構成自体には公知のものが採用されるため、詳細な説明を省略する。制御部１２０は、エンジン回転数、車室内外の温度、蒸発器１０４の吹き出し空気温度等、各種センサにて検出された所定の外部情報に基づいて上記設定差圧を決定し、その設定差圧を維持するためのソレノイド力が得られるよう制御弁１への通電制御を行う。車両の加速時や登坂走行時などのエンジンの高負荷状態において圧縮機１０１の負荷トルク低減を目的とする加速カット要求があると、制御部１２０は、その通電を遮断又は所定の下限値に抑制して、可変容量圧縮機を最小容量運転に移行させたりする。
【００２１】
膨張装置１０３は、いわゆる温度式膨張弁として構成されており、蒸発器１０４の出口側の冷媒温度をフィードバックしてその弁開度を調整し、熱負荷に応じた液冷媒を蒸発器１０４へ供給する。蒸発器１０４を通過した冷媒は受液器１０５を経由して圧縮機１０１に戻され、再び圧縮される。
【００２２】
逆止弁１３０は、圧縮機１０１の吐出容量がある程度大きく、吐出室１１４の吐出圧力Ｐｄと冷媒出口の出口圧力Ｐｄｌとの差圧（Ｐｄ−Ｐｄｌ）がその開弁差圧を上回る限り、開弁状態を維持する。この開弁差圧は、逆止弁１３０が内蔵するスプリングの荷重により設定されている。これに対し、例えば最小容量運転時など、圧縮機１０１の吐出容量が小さくなって吐出圧力Ｐｄが充分に高まらない場合には、スプリングの付勢力により逆止弁１３０が閉弁状態となり、ガスクーラ１０２側から吐出室１１４への冷媒の逆流を阻止する。なお、圧縮機１０１の最小容量運転時には逆止弁１３０が閉じてしまうが、吐出室１１４からの吐出冷媒が制御弁１およびクランク室１１６を介して吸入室１１０に戻されるため、圧縮機１０１内での冷媒ガスの内部循環が確保される。
【００２３】
図２は、実施形態に係る制御弁１の構成を示す断面図である。
制御弁１は、弁本体２とソレノイド３とを一体に組み付けて構成される。弁本体２は、段付円筒状のボディ５を有する。ボディ５は、本実施形態では真鍮からなるが、アルミニウム合金からなるものとしてもよい。ボディ５には、その上端側からポート１０，１２，１４が設けられている。このうち、ポート１０はボディ５の上端部に設けられ、ポート１２，１４はボディ５の側部に設けられている。ポート１０は吐出室１１４に連通する「吐出室連通ポート」として機能し、ポート１２はクランク室に１１６連通する「クランク室連通ポート」として機能し、ポート１４は吸入室１１０に連通する「吸入室連通ポート」として機能する。
【００２４】
ボディ５においてポート１０とポート１２とを連通させる通路には、段付円筒状の弁座形成部材１６が配設されている。弁座形成部材１６は、ステンレス鋼（例えばＳＵＳ４２０）を焼き入れして形成され、ボディ５よりも硬度が高い。弁座形成部材１６は、ボディ５の上部に同軸状に挿通され、ボディ５の上部を内方に加締めることにより固定されている。弁座形成部材１６には軸線に沿った貫通孔が設けられており、その下半部により弁孔１８が形成されている。ボディ５における弁座形成部材１６の下方には、ポート１２に連通する弁室２０が形成されている。ボディ５において、ポート１０、弁孔１８、弁室２０およびポート１２をつなぐ内部通路が、吐出室１１４からの吐出冷媒の一部をクランク室１１６に導入するための「給気通路」を構成する。
【００２５】
弁座形成部材１６の下半部は、下方に向けて外径が小さくなるテーパ状をなし、弁室２０内に延在している。弁座形成部材１６の下端面に弁座２２が形成されている。弁室２０には、弁座２２に下方から対向するように弁体２４が配設されている。弁体２４が弁座２２に接離することにより弁部の開度が調整される。
【００２６】
本実施形態ではこのように、ボディ５の素材として軟らかいものを採用することでその加工性を高く維持する一方、弁座２２が形成される部材（弁座形成部材１６）については高硬度とすることで弁座２２の摩耗や変形を防止又は抑制している。それにより、弁体２４の良好な着座性能を維持できるようにしている。すなわち、本実施形態では制御弁１が二酸化炭素を冷媒とする超臨界冷凍サイクルに適用されるため、圧縮機１０１の吐出圧力Ｐｄが非常に高圧となる。このため、開弁時に高圧冷媒が弁部を通過する際にキャビテーションを生じさせたり、その冷媒に含まれる異物が弁座２２に高速で衝突する可能性がある。このため、弁座２２がボディ５と同様に軟らかい材質からなる場合、弁座２２の摩耗や変形（エロージョン）が進行し易く、弁部のシール性の悪化や制御設定値（セット値）の変化を招く可能性がある。これに対し、本実施形態では、弁座２２およびその周辺の材質強度（硬度）を高めることで、それらを防止又は抑制できる。なお、本実施形態では、弁座形成部材１６をビッカース硬さで５００以上（好ましくは７００以上）としている。
【００２７】
ボディ５の内部空間を上下に区画するように隔壁２６が設けられている。隔壁２６の上方には弁室２０が形成され、下方には作動室２８が形成されている。弁室２０は、ポート１２を介してクランク室１１６に連通する。作動室２８は、ポート１４を介して吸入室１１０に連通する。隔壁２６の中央には軸線方向に延在するガイド部３０が設けられている。そのガイド部３０を軸線に沿って貫通するようにガイド孔３２が形成され、そのガイド孔３２には長尺状の作動ロッド３４が軸線方向に摺動可能に挿通されている。弁体２４は、作動ロッド３４の上端に同軸状に設けられている。弁体２４と作動ロッド３４とは、ステンレス鋼を切削加工することにより一体成形されている。
【００２８】
ガイド部３０は、隔壁２６の上面側に小さく突出し、下面側に大きく突出している。ガイド部は、下方に向けて外径が小さくなるテーパ状をなし、作動室２８内に延在している。それによりガイド孔３２の長さが十分に確保され、作動ロッド３４が安定に支持されている。弁体２４は、作動ロッド３４と一体に動作し、その上端面にて弁座２２に着脱して弁部を開閉する。弁座形成部材１６の硬度が十分に高いため、弁体２４が繰り返し着座しても弁座２２は変形し難く、弁部の耐久性が確保されている。
【００２９】
作動ロッド３４の下部には止輪３６（Ｅリング）が嵌合され、その止輪３６によって下方への移動が規制されるように円板状のばね受け３８が設けられている。ばね受け３８と隔壁２６との間には、作動ロッド３４を下方（閉弁方向）に付勢するスプリング４０（「第１スプリング」として機能する）が介装されている。スプリング４０は、隔壁２６の下面から下方のばね受け３８に向けて小径化するテーパスプリングとされている。上述のようにガイド部３０をテーパ状としたことで、このようなテーパ状のスプリング４０が配置可能となっている。ボディ５の下部は小径部４２とされ、ソレノイド３との連結部を構成する。
【００３０】
ボディ５の上端開口部には、ポート１０への異物の侵入を抑制するフィルタ部材４４が設けられている。圧縮機１０１の吐出冷媒には金属粉等の異物が含まれることがあるため、フィルタ部材４４は、その異物が制御弁１の内部に侵入することを防止又は抑制する。フィルタ部材４４は、２枚の金属メッシュを上下に重ね合わせて構成される。
【００３１】
一方、ソレノイド３は、円筒状のコア５０と、コア５０に外挿された有底円筒状のスリーブ５２と、スリーブ５２に収容され、コア５０と軸線方向に対向配置されたプランジャ５４と、スリーブ５２に外挿された円筒状のボビン５６と、ボビン５６に巻回された電磁コイル５８と、電磁コイル５８を外方から覆うように設けられた円筒状のケース６０と、ボビン５６の上方にてコア５０とケース６０との間に組み付けられた段付円筒状の接続部材６２と、ケース６０の下端開口部を封止するように設けられた端部材６４とを備える。
【００３２】
スリーブ５２およびプランジャ５４は、優れた磁気特性を有する電磁軟鉄（ＳＵＹ）からなる。電磁軟鉄は、不純物が少なく、高い磁束密度、高い透磁率、および小さな保磁力が得られる材料である。より具体的には、適度な硬度で加工性が良く、小さな保磁力（６０〜８０Ａ／ｍ）が得られるＳＵＹ−１が用いられている。これにより、ソレノイド３への供給電流が比較的低電流であったとしても、必要なソレノイド力を確保することができる。このため、電磁コイル５８ひいては制御弁１の小型化を図ることが可能となる。
【００３３】
スリーブ５２は非磁性材料からなり、その下半部にプランジャ５４を収容している。端部材６４には、環状のカラー６６が埋設されている。カラー６６は、ボビン５６の下方にてスリーブ５２とケース６０との間に介装されている。ケース６０、接続部材６２およびカラー６６は磁性材料からなり、ソレノイド３のヨークを形成する。弁本体２とソレノイド３とは、ボディ５の小径部４２（下端部）が接続部材６２の上端開口部に圧入されることにより固定されている。なお、本実施形態においては、ボディ５、弁座形成部材１６、接続部材６２、ケース６０および端部材６４が制御弁１全体のボディを形成している。
【００３４】
コア５０の中央を軸線方向に貫通するように挿通孔６７が形成され、その挿通孔６７を貫通するようにシャフト６８が挿通されている。シャフト６８は、作動ロッド３４と同軸状に設けられ、作動ロッド３４を下方から支持する。シャフト６８の径は作動ロッド３４のそれよりも大きい。そのシャフト６８の下半部にプランジャ５４が組み付けられている。本実施形態において、シャフト６８と作動ロッド３４とが、ソレノイド力を弁体２４に伝達する「伝達ロッド」を構成する。
【００３５】
プランジャ５４は、その上部にてシャフト６８に同軸状に支持されている。シャフト６８の軸線方向中間部の所定位置には止輪７０（Ｅリング）が嵌合され、その止輪７０によってプランジャ５４の上方への移動が規制されている。プランジャ５４の側面には軸線に平行な連通溝７１が設けられており、プランジャ５４とスリーブ５２との間に冷媒を通過させる連通路が形成される。
【００３６】
コア５０の上端部にはリング状の軸支部材７２が圧入されており、シャフト６８の上端部がその軸支部材７２によって軸線方向に摺動可能に支持されている。軸支部材７２の外周の一部が切り欠かれることにより、コア５０と軸支部材７２との間に連通路が形成されている。この連通路を介して作動室２８の吸入圧力Ｐｓがソレノイド３の内部にも導びかれる。
【００３７】
また、スリーブ５２の下端部がやや縮径されており、その縮径部７４にリング状の軸支部材７６（「支持部材」として機能する）が圧入されている。この軸支部材７６は、シャフト６８の下端部を摺動可能に軸支している。すなわち、シャフト６８が上方の軸支部材７２と下方の軸支部材７６とにより２点支持されることにより、プランジャ５４を軸線方向に安定に動作することができる。軸支部材７６の外周の一部が切り欠かれることにより、スリーブ５２と軸支部材７６との間に連通路が形成されている。ソレノイド３に導入された吸入圧力Ｐｓは、コア５０とシャフト６８との間の連通路、プランジャ５４とスリーブ５２との間の連通路、軸支部材７６とスリーブ５２との間の図示しない連通路を介してスリーブ５２内に満たされる。
【００３８】
軸支部材７６とプランジャ５４との間には、プランジャ５４を上方、つまり閉弁方向に付勢するスプリング７８（「第２スプリング」として機能する）が介装されている。すなわち、弁体２４は、ばね荷重として、スプリング４０による開弁方向の力とスプリング７８による閉弁方向の力との合力を受ける。ただし、スプリング４０の荷重がスプリング７８のそれよりも大きいため、スプリング４０，７８によるばね荷重は、開弁方向に作用するようになる。このばね荷重は、スリーブ５２における軸支部材７６の圧入位置を調整することにより設定できる。この圧入位置は、スリーブ５２への軸支部材７６への仮圧入を行った後、所定の工具を用いてスリーブ５２の底部中央を軸線方向に変形させることにより微調整することができる。
【００３９】
ボビン５６からは電磁コイル５８につながる一対の接続端子８０が延出し、それぞれ端部材６４を貫通して外部に引き出されている。同図には説明の便宜上、その一対の片方のみが表示されている。端部材６４は、ケース６０に内包されるソレノイド３内の構造物全体を下方から封止するように取り付けられている。端部材６４からは接続端子８０の先端部が引き出されており、図示しない外部電源に接続される。端部材６４は、接続端子８０を露出させるコネクタ部としても機能する。
【００４０】
以上のように構成された制御弁１は、圧縮機１０１に設けられた図示しない取付孔にワッシャを介して固定される。制御弁１の外周面には、その取付孔との間に介装されてシール機能を発揮する複数のＯリングが嵌着されている。すなわち、ボディ５におけるポート１２の上方および下方にそれぞれ環状溝が周設され、Ｏリング８２，８４が嵌着されている。また、接続部材６２におけるポート１４の下方にも環状溝が周設され、Ｏリング８６が嵌着されている。さらに、ケース６０と端部材６４との接続部にもＯリング８８が嵌着されている。
【００４１】
図３は、図２の上半部に対応する部分拡大断面図である。
フィルタ部材４４は、２枚の金属メッシュ４６，４８を厚み方向に重ね合わせて構成される。すなわち、メッシュ４６がボディ５の外側に面するように配置され、メッシュ４８がボディ５の内側に面するように配置される。なお、このようにメッシュ４６，４８を金属製としたのは、フィルタ部材４４が超臨界冷凍サイクルの高圧側に置かれるため、樹脂製メッシュでは耐圧強度が不足するからである。
【００４２】
メッシュ４６，４８は、いずれも円形シート状に形成されているが、網目サイズおよび剛性が互いに異なる。すなわち、メッシュ４６のほうがメッシュ４８よりも目が細かい（開孔率が小さい）。一方、メッシュ４８のほうがメッシュ４６よりも線径が大きく、剛性が高い。これは、メッシュ４６により高いフィルタ機能を発揮させるとともに、メッシュ４８によりフィルタ部材４４全体の強度を確保（補強）するものである。
【００４３】
フィルタ部材４４は、ボディ５の上端開口部に挿入されるようにして載置された後、ボディ５の上端部を内方に加締めることにより固定される。このように、フィルタ部材４４を２枚のメッシュをそのまま重ねてボディ５に直接固定する簡素な構成としたため、部品コストおよび製造コストを抑えることができる。フィルタ部材４４は、図示のようにボディ５の内側に配設されることにより、外部構造物との接触による変形や破損が防止又は抑制されている。
【００４４】
弁座形成部材１６の中央に設けられた貫通孔９０は、その下半部が縮径されて弁孔１８を形成している。すなわち、貫通孔９０の上半部が大径部９２、下半部が小径部９４となっており、小径部９４が弁孔１８を形成する。大径部９２と小径部９４との接続部は、下方に向けて内径が縮径するテーパ面とされている。貫通孔９０は、上流側から下流側に向けて段階的に縮径されている。
【００４５】
また、弁座形成部材１６における貫通孔９０の半径方向外側には、貫通孔９０と平行なブリード孔９６が設けられている。ブリード孔９６は、閉弁時にもクランク室１１６へ最低限の冷媒を流入させることにより、圧縮機１０１におけるオイル循環を確保するためのものである。圧縮機１０１の安定した作動を確保するために、冷媒には潤滑用のオイルが含まれており、ブリード孔９６は、クランク室１１６の内外でのオイル循環を確保するものである。
【００４６】
ブリード孔９６は、その上部のリーク通路９８とそれより下方の連通路９９とを接続して構成されている。リーク通路９８の内径は、冷媒を漏洩させる程度の大きさとされ、弁孔１８の内径よりも相当小さい。連通路９９の内径は、貫通孔９０の大径部９２よりも小さく、小径部９４よりも大きくされている。変形例においては、連通路９９の内径を、貫通孔９０の大径部９２の内径以上としてもよいし、小径部９４の内径以下としてもよい。
【００４７】
リーク通路９８と連通路９９との接続部は、下方に向けて内径が拡径するテーパ面とされている。ブリード孔９６は、上流側から下流側に向けて段階的に拡径されている。弁座形成部材１６の上面は、貫通孔９０を囲むように環状の突部１５０が設けられており、その突部１５０の半径方向内側と外側とが一段低くなる段差形状とされている。突部１５０の幅は十分に小さく、本実施形態では弁孔１８の幅以下とされている。リーク通路９８は、その突部１５０の位置にて上方に開口している。
【００４８】
このように、ブリード孔９６については冷媒の入口を小径とし、その入口を段差形状の上面に開口させることで、ブリード孔９６を介した異物の侵入を防止又は抑制している。すなわち、仮にフィルタ部材４４の網目（開孔幅）よりも小さな異物がポート１０に侵入したとしても、突部１５０の幅が十分に小さく、ブリード孔９６の入口はさらに小さいため、その異物がブリード孔９６を介して侵入する可能性は極めて低い。異物は突部１５０に突き当たったとしても、その内外の低位置に落ちる可能性が高い。特に閉弁時にはブリード孔９６を介した冷媒の流れができるものの、冷媒に含まれる異物がブリード孔９６に導かれる可能性は低い。なお、開弁時においては、仮に異物がポート１０に侵入したとしても、そのほとんどは弁孔１８を通過してポート１２から排出される。
【００４９】
また、弁室２０においては、隔壁２６の上面中央部にガイド部３０が突出することにより、その周囲に環状溝１５２が形成されている。また、弁体２４の外径が直下の作動ロッド３４よりもやや大きくされている。このため、仮に異物が弁孔１８を介して弁室２０に侵入したとしても、その異物が作動ロッド３４とガイド孔３２との摺動部に侵入する可能性は極めて低い。弁孔１８を通過した異物は、そのほとんどがポート１２から排出されるか、弁室２０に残留するとしても環状溝１５２に溜まるようになり、作動ロッド３４とガイド孔３２との間隙に侵入する可能性は低い。すなわち、環状溝１５２は、異物トラップとして機能することができる。このため、作動ロッド３４とガイド孔３２との摺動部に異物が噛み込むことによる弁体２４の作動ロックが防止される。
【００５０】
なお、本実施形態では、弁体２４の弁部におけるシール部径ａ（弁孔１８の内径）を、作動ロッド３４の摺動部径ｂよりも微少量大きくし（ａ＞ｂ）、弁体２４の圧力感度を最適に設定している。すなわち、このような設定により開弁時におけるクランク圧力Ｐｃの閉弁方向への寄与分を大きくすることで、弁部を少し開き難くしている。それにより、差圧（Ｐｄ−Ｐｓ）が緩やかに立ち上がるようになり、両者の径が同じ場合に比べてクランク圧力Ｐｃの影響を大きくし、圧縮機１０１の揺動板の作動応答性を下げ、開弁時における制御ハンチングを防止又は抑制している。なお、この圧力感度の調整については、例えば特開２００６−５７５０６号公報に記載の技術を用いることができる。
【００５１】
また、本実施形態では上述のように、ガイド部３０が弁室２０よりも作動室２８側に大きく突出する構成とし、それにより、作動ロッド３４の下端部がボディ５の下端位置（つまり小径部４２の下端開口部）から突出できる構成とした。これは、作動ロッド３４への止輪３６の装着を容易にするものである。すなわち、作動ロッド３４に止輪３６を嵌合させるためには、まず作動ロッド３４を弁室２０の側から挿入しなければならない。弁体２４の外径がガイド孔３２よりも大きいためである。一方、止輪３６を作動ロッド３４に嵌合させるためには、作業性を考慮して、作動ロッド３４に形成された嵌合部をボディ５の開口端部から露出させるか、少なくともその開口端部近傍に位置させる必要がある。このため、仮にガイド部３０が隔壁２６の上下に均等に延在しているとすると、作動ロッド３４を無用に長くする必要があり、好ましくない。そこで、本実施形態ではガイド部３０を下方に寄せることにより、ガイド部３０による安定したガイド機能を確保しつつ、止輪３６を装着する際の良好な作業性も維持している。また、作動ロッド３４を無用に長くしないことで、ボディ５ひいては制御弁１のコンパクト化を実現している。
【００５２】
さらに、本実施形態では上述のように、ガイド部３０およびスプリング４０を下方に向けて外径が小さくなるテーパ形状としている。これにより、スプリング４０の下半部がコア５０の上端開口部に収まるようにし、小径部４２の外径を極力小さくしている。これにより、接続部材６２の外径を小さくし、Ｏリング８６として外径の小さいものを選定することを可能にしている。これにより、制御弁１が圧縮機１０１の取付孔に取り付けられた際に、その取付方向とは逆向きに作用する冷媒圧力の影響を小さくしている。すなわち、Ｏリング８６よりも下方部分は大気圧となるため、仮にＯリング８６が大きい場合、制御弁１の抜け落ちを防止するために耐圧性の高い固定構造が必要となる。この点、本実施形態ではＯリング８６を小さくすることができるため、ワッシャ等の簡易な固定構造で足りる。
【００５３】
以上の構成において、作動ロッド３４の径が弁孔１８の内径よりやや小さいものの、ほぼ同じ大きさを有するため、弁室２０において弁体２４に作用するクランク圧力Ｐｃの影響はほぼキャンセル（相殺）される。このため、弁体２４には、ほぼ弁孔１８の大きさの受圧面積に対して吐出圧力Ｐｄと吸入圧力Ｐｓとの差圧（Ｐｄ−Ｐｓ）が実質的に作用する。弁体２４は、差圧（Ｐｄ−Ｐｓ）がソレノイド３に供給された制御電流にて設定された設定差圧に保持されるように動作する。
【００５４】
次に、可変容量圧縮機用制御弁の基本的動作について説明する。
図２に戻り、制御弁１において、ソレノイド３が非通電のときには、スプリング４０，７８の合力による開弁方向の荷重により弁体２４が弁座２２から離間して弁部が全開状態に保持される。このとき、圧縮機１０１の吐出室１１４からポート１０に導入された吐出圧力Ｐｄの高圧冷媒は、全開状態の弁部を通過し、ポート１２からクランク室１１６へと流れることになる。その結果、クランク圧力Ｐｃが高められ、圧縮機１０１は吐出容量が最小となる最小容量運転を行うことになる。
【００５５】
一方、自動車用空調装置の起動時または冷房負荷が最大のときには、ソレノイド３への供給電流値が最大になり、プランジャ５４は、コア５０に最大の吸引力で吸引される。このとき、弁体２４を含む作動ロッド３４、シャフト６８およびプランジャ５４が、一体になって閉弁方向に動作し、弁体２４が弁座２２に着座する。この閉弁動作によってクランク圧力Ｐｃが低下するため、圧縮機１０１は吐出容量が最大となる最大容量運転を行うことになる。
【００５６】
ここで、容量制御時においてソレノイド３に供給される電流値が所定値に設定されているときには、弁体２４を含む作動ロッド３４、シャフト６８およびプランジャ５４が一体動作する。このとき、弁体２４は、作動ロッド３４を開弁方向に付勢するスプリング４０のばね荷重と、プランジャ５４を開弁方向に付勢するスプリング７８のばね荷重と、プランジャ５４を閉弁方向に付勢しているソレノイド３の荷重と、弁体２４が開弁方向に受圧する吐出圧力Ｐｄによる力と、弁体２４が閉弁方向に受圧する吸入圧力Ｐｓによる力とがバランスした弁リフト位置にて停止する。
【００５７】
このバランスが取れた状態で、エンジンの回転数とともに圧縮機１０１の回転数が上がって吐出容量が増えると、差圧（Ｐｄ−Ｐｓ）が大きくなって弁体２４に開弁方向の力が作用し、弁体２４は、さらにリフトして吐出室１１４からクランク室１１６へ流す冷媒の流量を増やす。これにより、クランク圧力Ｐｃが上昇し、圧縮機１０１は、その吐出容量を減少させる方向に動作し、差圧（Ｐｄ−Ｐｓ）が設定差圧になるように制御される。エンジンの回転数が低下した場合には、その逆の動作が行われ、差圧（Ｐｄ−Ｐｓ）が設定差圧になるように制御される。
【００５８】
図４は、冷媒として二酸化炭素を用いる場合の抽気通路径とリーク通路径との組み合わせ許容範囲を示す図である。同図の横軸はリーク通路径（ｍｍ）を示し、縦軸は抽気通路径（ｍｍ）を示す。図中のハッチングが付された範囲が、実験結果に基づいて定められた両通路径の組み合わせ許容範囲を示している。
【００５９】
発明者らの検証により、抽気通路径とリーク通路径との組み合わせを図示の許容範囲に設定すれば、圧縮機１０１のオイル循環を確保しつつ、最大容量運転への移行および維持を確保できることが分かった。ここでいう「許容範囲」は、閉弁時においてクランク圧力Ｐｃと吸入圧力Ｐｓとの差圧（Ｐｃ−Ｐｓ）を０．５ＭＰａ以下とできる範囲、つまり揺動板を大きく傾斜させて最大容量運転を実現可能とする範囲である。
【００６０】
また、ここでは設定差圧（Ｐｄ−Ｐｓ）を１０ＭＰａＧとし、吸入圧力Ｐｓが３．５ＭＰａを下回らないよう制御することを前提とした。ここで、吸入圧力Ｐｓの下限値である３．５ＭＰａは、二酸化炭素の温度が０℃となる圧力を示す。つまり、吸入圧力Ｐｓをその下限値以上とすることで、二酸化炭素の温度が０℃よりも低下することを防止し、蒸発器１０４等において凍結が発生することを防止することができる。なお、オイル循環量を十分に確保するためのリーク通路径については、上記許容範囲において適宜設定するものとする。
【００６１】
図示のように、リーク通路９８の径をＸ、抽気通路（オリフィス１１９）の径をＹとした場合、下記式（１）が成立するようにブリード孔９６を形成すれば、上記許容範囲を満たすことができる。
Ｙ＞２．１４５Ｘ＋０．２４  ・・・（１）
ただし、Ｘ＞０とする。
【００６２】
一般に、圧縮機の製造メーカと制御弁の製造メーカとは異なることが多い。その場合、制御弁１の製造メーカは、圧縮機１０１の製造メーカから抽気通路（オリフィス１１９）の径について情報を取得し、上記式（１）が満たされるようにリーク通路９８の径を設定すればよいことが分かる。
【００６３】
図５は、抽気通路径とリーク通路径との組み合わせの傾向に応じた差圧制御特性を表す図である。同図は、制御対象である差圧（Ｐｄ−Ｐｓ）と、それにより得られる差圧（Ｐｃ−Ｐｓ）との関係を、ソレノイド３への供給電流値Ｉ（ＩＡ〜ＩＤ）ごとに示すものである。図５（Ａ）において、実線はリーク通路径Φ１および抽気通路径Φ２がともに大きい場合（ケース１）を示し、点線はリーク通路径Φ１および抽気通路径Φ２がともに小さい場合（ケース２）を示す。図５（Ｂ）において、一点鎖線はリーク通路径Φ１が大きく、抽気通路径Φ２が小さい場合（ケース３）を示し、二点鎖線はリーク通路径Φ１が小さく、抽気通路径Φ２が大きい場合（ケース４）を示す。各図の横軸は差圧（Ｐｄ−Ｐｓ）を示し、縦軸は差圧（Ｐｃ−Ｐｓ）を示す。供給電流値Ｉの大きさは、ＩＡ＜ＩＢ＜ＩＣ＜ＩＤとされている。
【００６４】
図５（Ａ）および（Ｂ）から以下のことが分かる。まず全体として、供給電流値Ｉが大きくなるほど、差圧（Ｐｄ−Ｐｓ）の変化に対して差圧（Ｐｃ−Ｐｓ）が急峻に変化するポイント（以下「開弁ポイント」という）ｐＡ〜ｐＤが大きくなることが分かる。これは、供給電流値Ｉが大きくなるほど開弁し難くなり、最大容量運転を維持し易くなることを意味する。なお、差圧（Ｐｄ−Ｐｓ）が開弁ポインに到達する前の差圧（Ｐｃ−Ｐｓ）の上昇は、閉弁時においてもリーク通路９８を介したクランク室１１６への冷媒の導入があることを意味している。
【００６５】
一方、図５（Ａ）に示すように、ケース１はケース２と比較して、差圧（Ｐｄ−Ｐｓ）の変化に対する差圧（Ｐｃ−Ｐｓ）の変化が、開弁ポイントまでは相対的に大きく、開弁作動ポイント以降は相対的に小さくなることが分かる。これは、開弁ポイントまではリーク通路径Φ１が大きいことによる昇圧促進効果が得られる一方、開弁ポイント以降は抽気通路径Φ２が小さいことによる昇圧促進効果が得られることを示している。
【００６６】
また、図５（Ｂ）に示すように、ケース３においては、閉弁状態における差圧（Ｐｄ−Ｐｓ）の変化に対する差圧（Ｐｃ−Ｐｓ）の変化が大きくなることが分かる。このことは、リーク通路径Φ１を抽気通路径Φ２よりも大きくし過ぎると、昇圧促進効果が大きくなり、開弁前に差圧（Ｐｃ−Ｐｓ）が０．５ＭＰａを超えてしまい、最大容量運転が維持できない可能性があることを示している。一方、ケース４においては、閉弁状態における差圧（Ｐｄ−Ｐｓ）の変化に対する差圧（Ｐｃ−Ｐｓ）の変化が小さくなることが分かる。このことは、リーク通路径Φ１を抽気通路径Φ２よりも小さくし過ぎると、昇圧緩和効果が大きくなり、閉弁状態における最大容量運転の維持は確保できるものの、十分なオイル循環量が得られない可能性があることを示している。
【００６７】
以上より、リーク通路径Φ１と抽気通路径Φ２との組み合わせについては、図５に示した差圧制御特性があることを考慮したうえで、図４に示した許容範囲を満たすように設定すればよい。
【００６８】
以上、本発明の好適な実施形態について説明したが、本発明は特定の実施形態に限定されるものではなく、本発明の技術思想の範囲内で種々の変形が可能であることはいうまでもない。
【００６９】
図６は、冷媒として代替フロン（ＨＦＣ−１３４ａ）を用いる場合の抽気通路径とリーク通路径との組み合わせ許容範囲を示す図である。同図の横軸はリーク通路径（ｍｍ）を示し、縦軸は抽気通路径（ｍｍ）を示す。図中のハッチングが付された範囲が、実験結果に基づいて定められた両通路径の組み合わせ許容範囲を示している。
【００７０】
発明者らの検証により、冷媒としてＨＦＣ−１３４ａを用いる場合、抽気通路径とリーク通路径との組み合わせを図示の許容範囲に設定すれば、圧縮機１０１のオイル循環を確保しつつ、最大容量運転への移行および維持を確保できることが分かった。ここでいう「許容範囲」は、閉弁時においてクランク圧力Ｐｃと吸入圧力Ｐｓとの差圧（Ｐｃ−Ｐｓ）を０．０５ＭＰａ以下とできる範囲、つまりＨＦＣ−１３４ａを用いる場合に最大容量運転を実現可能とする範囲である。
【００７１】
また、ここでは設定差圧（Ｐｄ−Ｐｓ）を１．５ＭＰａＧとし、吸入圧力Ｐｓが０．２ＭＰａを下回らないよう制御することを前提とした。ここで、吸入圧力Ｐｓの下限値である０．２ＭＰａは、ＨＦＣ−１３４ａの温度が０℃となる圧力を示す。なお、オイル循環量を十分に確保するためのリーク通路径については、上記許容範囲において適宜設定するものとする。
【００７２】
図示のように、リーク通路９８の径をＸ、抽気通路（オリフィス１１９）の径をＹとした場合、下記式（２）が成立するようにブリード孔９６を形成すれば、上記許容範囲を満たすことができる。
Ｙ＞２．３Ｘ＋０．２７  ・・・（２）
ただし、Ｘ＞０とする。
なお、上記式（２）の範囲は、上記式（１）の範囲に含まれることが分かる。
【００７３】
上記実施形態では、抽気通路を圧縮機１０１のハウジングに設ける構成を例示した。変形例においては、制御弁１に設けてもよい。例えば、ボディ５にポート１２とは別にクランク室１１６からクランク圧力Ｐｃを導入可能な第２クランク室連通ポートを設け、その第２クランク室連通ポートとポート１４とを連通させる連通路を設けてもよい。そして、その連通路にオリフィス１１９を設けるようにしてもよい。
【００７４】
上記実施形態では、弁座形成部材１６の全体を硬度の高い材質にて構成する例を示したが、弁座２２およびその周辺部のみを高硬度の材質からなるものとしてもよい。例えば、弁座形成部材をボディ５と同一又は同等の軟らかさを有する材質からなるものとし、その端部中央に嵌合穴を設け、高硬度の弁座部材を圧入してもよい。その弁座部材の端面を弁座２２としてもよい。
【００７５】
上記実施形態では、作動ロッド３４とシャフト６８とを別体にて作製した後、両者を軸線方向に同軸状に当接させる形で連結し、ソレノイド力を弁体２４に伝達する伝達ロッドとして構成する例を示した。変形例においては、作動ロッド３４とシャフト６８とを単一の部材により一体成形してもよい。
【００７６】
上記実施形態では、弁座形成部材１６において、ブリード孔９６の冷媒入口を小径とし、その入口を段差形状の上面に開口させる構成を示した（図３参照）。この構成は、上記実施形態のように冷媒圧力が高圧となる冷凍サイクルにおいてその異物侵入抑制機能を顕著に発揮する。すなわち、吐出圧力Ｐｄが高圧であるほど、異物がフィルタ部材４４を通過してポート１０に侵入し易くなるという問題があるところ、上記異物侵入抑制機能により少なくとも異物がブリード孔９６を介して弁室２０にまで到達する可能性を低くすることができる。そのことが、結果的に制御弁１の高圧環境下における制御特性を良好に維持することにつながる。
【００７７】
なお、上記実施形態では、弁座形成部材１６の上面に突部１５０を環状に形成する例を示したが、それ以外の形状を採用してもよいことは言うまでもない。例えば、ブリード孔９６の冷媒入口周辺のみを突部としてもよい。また、上記実施形態では、ブリード孔９６を一箇所のみ設ける例を示したが、複数箇所に設けてもよい。その場合も、各ブリード孔９６の冷媒入口を突部（段差形状）の上面に設けるとよい。
【００７８】
なお、本発明は上記実施形態や変形例に限定されるものではなく、要旨を逸脱しない範囲で構成要素を変形して具体化することができる。上記実施形態や変形例に開示されている複数の構成要素を適宜組み合わせることにより種々の発明を形成してもよい。また、上記実施形態や変形例に示される全構成要素からいくつかの構成要素を削除してもよい。
【符号の説明】
【００７９】
１  制御弁、  ２  弁本体、  ３  ソレノイド、  ５  ボディ、  １０，１２，１４  ポート、  １８  弁孔、  ２０  弁室、  ２２  弁座、  ２４  弁体、  ２６  隔壁、  ２８  作動室、  ３２  ガイド孔、  ３４  作動ロッド、  ４０  スプリング、  ９６  ブリード孔、  ９８  リーク通路、  １０１  圧縮機、  １１０  吸入室、  １１２  シリンダ、  １１４  吐出室、  １１６  クランク室、  １１８  冷媒通路、  １１９  オリフィス。
【図１】
2016014334.tif 000003
【図２】
2016014334.tif 000004
【図３】
2016014334.tif 000005
【図４】
2016014334.tif 000006
【図５】
2016014334.tif 000007
【図６】
2016014334.tif 000008